【手続補正書】
【提出日】平成21年10月8日(2009.10.8)
【手続補正１】
【補正対象書類名】特許請求の範囲
【補正対象項目名】全文
【補正方法】変更
【補正の内容】
【特許請求の範囲】
【請求項１】
移動体に設けられ、地上波テレビジョン放送を受信するテレビジョン受信装置であって、
前記地上波テレビジョン放送の電波を受信する受信アンテナ部と、
前記受信アンテナ部で受信された前記地上波テレビジョン放送の電波の受信レベルを検知する受信レベル検知手段と、
前記移動体の移動体位置情報を検知する移動体位置検知手段と、
前記地上波テレビジョン放送の電波の強度が所定の強度値以下の受信不良位置を含む受信不良位置情報を記憶する受信不良位置情報記憶手段と、
前記受信レベルと前記移動体位置情報と前記受信不良位置情報とに基づいて判定された受信状態情報を出力する受信状態判定手段と、
前記受信アンテナで受信された前記地上波テレビジョン放送の電波に基づく映像信号を出力する映像出力手段と、
所定の前記受信状態情報を出力するように前記映像出力手段を制御する受信制御手段と、
を備えることを特徴とするテレビジョン受信装置。
【請求項２】
移動体位置情報から得られる移動体位置と受信不良位置情報に含まれる受信不良位置のうちで前記移動体位置と最も近い受信不良位置との間の距離が所定の距離より大きく、かつ、受信レベルが所定のレベル値以下の場合に、
受信状態判定手段は、受信アンテナ部が故障であることを受信状態情報として出力するとともに、
受信制御手段は、前記受信状態情報を出力するように映像出力手段を制御することを特徴とする請求項１に記載のテレビジョン受信装置。
【請求項３】
移動体位置情報から得られる移動体位置と受信不良位置情報に含まれる受信不良位置のうちで前記移動体位置と最も近い受信不良位置との間の距離が所定の距離以下で、受信レベルが所定のレベル値を越える場合に、
受信状態判定手段は、移動体が受信不良位置に近いことを受信状態情報として出力するとともに、
受信制御手段は、前記受信状態情報を、映像信号に重畳させて出力するように映像出力手段を制御することを特徴とする請求項１に記載のテレビジョン受信装置。
【請求項４】
移動体位置情報から得られる移動体位置と受信不良位置情報に含まれる受信不良位置のうちで前記移動体位置と最も近い受信不良位置との間の距離が所定の距離以下で、受信レベルが所定のレベル値以下の場合に、
受信状態判定手段は、移動体が受信不良位置に入っていることを受信状態情報として出力するとともに、
受信制御手段は、前記受信状態情報を出力するように映像出力手段を制御することを特徴とする請求項１に記載のテレビジョン受信装置。
【請求項５】
複数の車両を連結した移動体に設けられ、地上波テレビジョン放送を受信するテレビジョン受信装置であって、
前記複数の車両の一である第１の車両に設けられ、地上波テレビジョン放送の電波を受信する第１の受信アンテナ部と、
前記第１の受信アンテナ部で受信された前記地上波テレビジョン放送の電波の第１の受信レベルを検知する第１の受信レベル検知手段と、
前記移動体の移動方向から見て、前記複数の車両のうちで前記第１の車両よりも後方の第２の車両に設けられ、前記地上波テレビジョン放送の電波を受信する第２の受信アンテナ部と、
前記第２の受信アンテナ部で受信された前記地上波テレビジョン放送の電波の第２の受信レベルを検知する第２の受信レベル検知手段と、
前記第１の受信レベルと前記第２の受信レベルの大小関係を比較し、前記大小関係に基づいてアンテナ選択信号を出力する受信レベル比較手段と、
前記アンテナ選択信号に基づいて前記第１の受信アンテナ部ないしは前記第２の受信アンテナ部のいずれかを選択するアンテナ選択手段と、
前記移動体の移動体位置情報を検知する移動体位置検知手段と、
前記地上波テレビジョン放送の電波の強度が所定の強度値以下の受信不良位置を含む受信不良位置情報を記憶する受信不良位置情報記憶手段と、
前記第１の受信レベルと前記第２の受信レベルと前記移動体位置情報と前記受信不良位置情報とに基づいて判定された受信状態情報を出力する受信状態判定手段と、
前記アンテナ選択手段で選択された受信アンテナ部で受信された前記地上波テレビジョン放送の電波に基づく映像信号を出力する映像出力手段と、
所定の前記受信状態情報を出力するように前記映像出力手段を制御する受信制御手段と、
を備えることを特徴とするテレビジョン受信装置。
【請求項６】
移動体位置情報から得られる移動体位置と受信不良位置情報に含まれる受信不良位置のうちで前記移動体位置と最も近い受信不良位置との間の距離が所定の距離より大きく、かつ、前記第１の受信レベルと前記第２の受信レベルの少なくともいずれか一方が所定のレベル値以下の場合に、
受信状態判定手段は、所定のレベル値以下の受信アンテナ部が故障であることを受信状態情報として出力するとともに、
受信制御手段は、前記受信状態情報を出力するように映像出力手段を制御することを特徴とする請求項５に記載のテレビジョン受信装置。
【請求項７】
移動体位置情報から得られる移動体位置と受信不良位置情報に含まれる受信不良位置のうちで前記移動体位置と最も近い受信不良位置との間の距離が所定の距離以下で、第１の受信レベルと第２の受信レベルのいずれもが所定のレベル値を越える場合に、
受信状態判定手段は、移動体が受信不良位置に近いことを受信状態情報として出力するとともに、
受信制御手段は、前記受信状態情報を、映像信号に重畳させて出力するように映像出力手段を制御することを特徴とする請求項５に記載のテレビジョン受信装置。
【請求項８】
移動体位置情報から得られる移動体位置と受信不良位置情報に含まれる受信不良位置のうちで前記移動体位置と最も近い受信不良位置との間の距離が所定の距離以下で、かつ、第１の受信レベルが所定のレベル値以下で、第２の受信レベルが所定のレベル値を越える場合に、
受信状態判定手段は、第１の車両が受信不良位置に入っていることを受信状態情報として出力し、
受信制御手段は、前記受信状態情報を、映像信号に重畳させて出力するように映像出力手段を制御するとともに、
受信レベル比較手段は、第２の受信アンテナ部を選択するアンテナ選択信号を出力することを特徴とする請求項５に記載のテレビジョン受信装置。
【請求項９】
移動体位置情報から得られる移動体位置と受信不良位置情報に含まれる受信不良位置のうちで前記移動体位置と最も近い受信不良位置との間の距離が所定の距離以下で、かつ、第１の受信レベルと第２の受信レベルとのいずれもが所定のレベル値以下の場合に、
受信状態判定手段は、第１の車両と第２の車両のいずれもが受信不良位置に入っていることを受信状態情報として出力するとともに、
受信制御手段は、前記受信状態情報を出力するように映像出力手段を制御することを特徴とする請求項５に記載のテレビジョン受信装置。
【請求項１０】
移動体位置情報から得られる移動体位置と受信不良位置情報に含まれる受信不良位置のうちで前記移動体位置と最も近い受信不良位置との間の距離が所定の距離以下で、かつ、第１の受信レベルが所定のレベル値を越えており、第２の受信レベルが所定のレベル値以下の場合に、
受信状態判定手段は、第１の車両が受信不良位置から出ていることを受信状態情報として出力するとともに、
受信レベル比較手段は、第１の受信アンテナ部を選択するアンテナ選択信号を出力することを特徴とする請求項５に記載のテレビジョン受信装置。
【手続補正２】
【補正対象書類名】明細書
【補正対象項目名】０００９
【補正方法】変更
【補正の内容】
【０００９】
この発明に係るテレビジョン受信装置は、移動体に設けられ、地上波テレビジョン放送を受信するテレビジョン受信装置であって、前記地上波テレビジョン放送の電波を受信する受信アンテナ部と、前記受信アンテナ部で受信された前記地上波テレビジョン放送の電波の受信レベルを検知する受信レベル検知手段と、前記移動体の移動体位置情報を検知する移動体位置検知手段と、前記地上波テレビジョン放送の電波の強度が所定の強度値以下の受信不良位置を含む受信不良位置情報を記憶する受信不良位置情報記憶手段と、前記受信レベルと前記移動体位置情報と前記受信不良位置情報とに基づいて判定された受信状態情報を出力する受信状態判定手段と、前記受信アンテナで受信された前記地上波テレビジョン放送の電波に基づく映像信号を出力する映像出力手段と、所定の前記受信状態情報を出力するように前記映像出力手段を制御する受信制御手段とを備えることを特徴とするものである。
【手続補正３】
【補正対象書類名】明細書
【補正対象項目名】００１０
【補正方法】変更
【補正の内容】
【００１０】
この発明に係るテレビジョン受信装置は、移動体に設けられ、地上波テレビジョン放送を受信するテレビジョン受信装置であって、前記地上波テレビジョン放送の電波を受信する受信アンテナ部と、前記受信アンテナ部で受信された前記地上波テレビジョン放送の電波の受信レベルを検知する受信レベル検知手段と、前記移動体の移動体位置情報を検知する移動体位置検知手段と、前記地上波テレビジョン放送の電波の強度が所定の強度値以下の受信不良位置を含む受信不良位置情報を記憶する受信不良位置情報記憶手段と、前記受信レベルと前記移動体位置情報と前記受信不良位置情報とに基づいて判定された受信状態情報を出力する受信状態判定手段と、前記受信アンテナで受信された前記地上波テレビジョン放送の電波に基づく映像信号を出力する映像出力手段と、所定の前記受信状態情報を出力するように前記映像出力手段を制御する受信制御手段とを備えることを特徴とするものなので、受信系統の故障も含めてテレビジョン受信装置の受信状態がどのような状態にあるかを知ることができ、視聴者が、唐突に画面がノイズで乱れたり、唐突にフリーズしたりすることによって受けるストレスを抑制することができるという効果がある。